(57)【要約】【課題】携帯端末を使用するとき、片手で安定して支えることができる補助装置を提供する。【解決手段】携帯端末の外殻背面へ軸回転する補助体を設け、且つ該補助体へ使用者の腕または肘を固定する環状ベルトを設け、使用するとき使用者の片腕または片肘を環状ベルトへ通して縛り、該環状ベルトは使用者の腕を固定し、及び使用者の腕にあわせてきつさを調整可能であり、これにより使用者は該補助体により携帯端末を片手で安定して支えることができ、携帯端末を落とす心配も無く、並びに容易に携帯端末の方向または角度を調整することができ、携帯端末の便利性および安全性を増加し、また携帯端末を卓上へ置くことにも影響しない。【選択図】　　　　図２
0003098095.tif 000002
【実用新案登録請求の範囲】
【請求項１】
携帯端末等のパーソナルコンピュータ専用の補助装置に係り、携帯端末の背面へ軸回転する補助体を設け、該補助体の先端へ軸を設け、補助体と携帯端末間に相対する角度で軸回転をする状態を呈し、補助体の末端へ手のひらで握れる取っ手状の突起面を設け、また該補助体先端へ使用者の腕または肘を固定する環状ベルトを設け、使用するとき使用者の片腕または片肘を環状ベルトへ通して縛り、手のひらは該突起面を握り、これにより携帯端末を安定して支えることができ、並びに必要とする方向または角度へ携帯端末を調整することができることを特徴とする携帯端末専用の補助装置。
【請求項２】
前記補助体と携帯端末の背面間に一歩進んで、荷重板を設け、該荷重板は適正な広さの板面及び掛け具を具有し、該掛け具は携帯端末の外殻面上に設ける溝内へ嵌合し、それにより携帯端末の背面へしっかりと固定され、並びに安定した結合状態となり、また板面へつまみ部を設け、該つまみ部により板面と補助体を組合せ一体となり、該つまみ部は補助体の軸となることを特徴とする請求項１記載の携帯端末専用の補助装置。
【請求項３】
前記環状ベルトは使用者の需要に合わせてきつさを調整することができ、また使用者の腕または肘をしっかりと固定することを特徴とする請求項１記載の携帯端末専用の補助装置。
【考案の詳細な説明】
【０００１】
【考案の属する技術分野】
本考案は携帯端末等の表示画面を備えたハンディなパーソナルコンピュータの補助装置に係り、特に携帯端末背面に角度を調整できる補助体を設け、並びに使用者の腕へ固定する環状のベルトを設け、使用者が携帯端末を片手で安定して持ち、携帯端末を落としてしまうようなことを防止し、且つ容易に携帯端末の方向または角度を必要に応じて調整することができる補助装置に関わる。
【０００２】
【従来の技術】
既に数多くのメーカーから規格、サイズの異なる携帯端末がでており、そのほとんどが矩形を呈し、使用者が直接モニターにより操作し、それはまた卓上でキーボードへ連結し、デスクトップ型コンピュータとして使用することができる。今のところ良く見かける光景として、片手で携帯端末の背面を支え、別の片手でモニターを操作し、または携帯端末を必要とする方向、角度に向きを変える。現在有る携帯端末の具有する面積および重量はかなりあり、片手で安定して支えることは難しく、傾斜させにくく、且つ必要とする方向へモニターを向けるとき、容易に携帯端末の方向または角度を変えにくく、かなり不便である。また僅かな接触で重心を失い落としてしまうこともあり、精密機械であるため破損しやすいということがある。
【０００３】
【考案が解決しようとする課題】
しかし上述のような公知のものにおける欠点として、先ず公知の携帯端末は使用者が片手によって携帯端末を支えて使用し、また手で支える範囲には限界があり、携帯端末を安定して支えるのに不十分であり、且モニターの方向または角度を簡単に回転して動かしにくい、使用及び操作の便利性に欠け、且僅に接触するだけでバランスを失い落として破損してしまう、即ち安定性に欠ける。
そこで、携帯端末の便利性および安全性を増加し、且つ安定性を得るため、また、携帯端末を卓上へ置くことにも影響しない本案の携帯端末専用の補助装置を提供する。
【０００４】
【課題を解決するための手段】
携帯端末専用の片手で安定して支える補助装置において、携帯端末の背面へ軸回転により角度を変えられる補助体を設け、且つ該補助体へ使用者の腕または肘を固定する環状ベルトを設けることにより、使用者は携帯端末を安定して支えられ落としてしまうようなことも起きない、且つ容易にモニター方向または角度を回転することができ、操作をする上で最高の状態となり、携帯端末の便意性及び安全性を増進する。
【０００５】
【考案実施の形態】
図２、３に示すように、携帯端末１の背面１１へ軸回転する補助体３を設け、該補助体３は先端に軸３１を設け補助体３と携帯端末間の相対する角度により軸回転する。補助体３の末端へ取っ手状の突起面３２を設け、手のひら２２で握って使用し、且つ該取っ手３の先端に使用者の腕または肘を固定する環状ベルト４を設け、使用するとき、使用者の片腕２１（または片肘）を環状ベルト４内へ通し、よって脱離することなく、即ち携帯端末１を傾斜することにより滑り落ちてしまうことも無く、手のひら２２は突起面３２を握り、即ち安定して携帯端末を支えられ便利に使用操作できるようになっている。該軸３１及び環状ベルト４により、使用者は操作の習慣または需要（例えば携帯端末を使用中、モニターの資料を人に向けて呈示するとき）により携帯端末１を片手２で３６０度適正な方向へ向け（図５の中の矢印Ａを参照）または角度を容易に調整でき（図５の中の矢印Ｂを参照）、よって携帯端末を使用する便利性および安全性を増進する。
【０００６】
図４に示すように、該補助体３及び環状ベルト４の構造は、
携帯端末の外殻面はメーカによって異なるので、携帯端末１の外殻面にまず荷重板５を設け、例：使用する携帯端末１の外殻面の枠１２へ予め溝１３を設け、荷重板５に掛け具５１を設け、該掛け具５１を溝１３内へ嵌合し、並びに荷重板５である適正な広さの板面５２は携帯端末１の背面１１の外殻へしっかりと固定し、よって安定した結合状態となる。該板面５２へつまみ部６を設け、該つまみ部６は板面５２へ補助体３をとめ、補助体３の軸３１となり、該補助体３は板面５２上で軸回転の動作ができる、且つ軸３１の締め具合を適正に調整する。自由に向きを変えて使用できる効果（例：ｌａｐｔｏｐのモニターとして使用するなど）は、即ち携帯端末１と補助体３間に適正な回転軸を設け、緩んだりすることなく自由に回転することによる。つまみ部６は公知の構造体により構成する。
【０００７】
また、補助体３の上下をプラスチック注入により形を成型し、補助体３は空洞の内部を具有し、つまみ部６または環状ベルト４を設け、且つ取っ手となる突起面３２を設け、突起面３２と補助体３の軸３１間の角度、または突起面３２の突出高度など一般の使用者に合わせることによってコストも削減できる。
補助体３の形状または突起面３２の外形等、突起面３２と補助体３の軸３１間の角度、または突起面２２の突出する高さ等は一般の使用者に合わせて、人体工学により設計する。
また環状ベルト４は補助体３の先端へ設け、容易に使用者の腕（または肘）を環状ベルトへ取り付けられ、一般のゴムにより環を調整または面ファスナーにより容易にきつさを調整することができ、使用者は環状ベルト４内へ固定され、脱離することはない。
【０００８】
この他に、本案の構造形態の中で荷重板５と携帯端末１の結合方法並びに掛け具５１と溝１３の嵌合方法は、異なるメーカの携帯端末１へ外殻または枠１２の異なる空間により設計も異なり、消費者の需要に応じて該荷重板５を設けなくても、直接携帯端末１の背面１１の外殻面上へつまみ部６を設置する溝を取り付け、もし、本案の補助装置を必要としない時は、該設置溝は携帯端末１を使用するのに影響は無く、使用者が必要とする時、つまみ部６を直接設置溝へ嵌め、補助体３とつまみ部６は結合し、即ち簡単に補助装置は取り付けられる、補助体３は使用者の需要によって選択する。
また、本案における携帯端末への取り付け構造は、補助体３は軸回転により調整でき、且つ予め溝１３を設けなくても、枠１２のキーボード用の接続挿入孔を利用でき、またキーボードを使用するときも、該補助体３は元来の携帯端末１とキーボード間の接続に影響を与えず、解体する必要もない。
【０００９】
上記の本考案における優れた点
１．構造は簡単であり、携帯端末へ付属品として配置でき、携帯端末を使用するにあた　　　　り便利性、安全性を増進する。
２．環状ベルト４のきつさ、または補助体の角度は個人の手の大きさまたは習慣により　　　　容易に調整でき、幅広く多くの人に適用し、且つ携帯端末本来の機能に影響を与　　　　えることはない。
３．各種異なるメーカの規格する携帯端末へ配合でき、量産化することによりコストを　　　　削減する。
【００１０】
【考案の効果】
本考案によると、簡単な構造であり、また安全性、便利性を高める目的が達成された。
【図面の簡単な説明】
【図１】携帯端末の操作方法指示図である。
【図２】本考案における構造図である。
【図３】本考案における使用状態図である。
【図４】本考案における分解図である。
【図５】本考案における別の使用状態図である。
【符号の説明】
１　　　携帯端末
１１　　背面
１２　　フレーム
１３　　溝
２　　　片手
２１　　腕
２２　　手のひら
３　　　補助体
３１　　軸
３２　　突起面
４　　　環状ベルト
５　　　荷重板
５１　　掛け具
５２　　板面
６　　　つまみ部
【図１】
0003098095.tif 000003
【図２】
0003098095.tif 000004
【図３】
0003098095.tif 000005
【図４】
0003098095.tif 000006
【図５】
0003098095.tif 000007